(57)【要約】【課題】追焚循環経路に流路切換装置が接続される給湯システムにおいて、浴槽内に湯または水がない状態でも当該流路切換装置の接続状態が正常であるか否かを診断する。【解決手段】流路切換弁６１の診断制御では、開閉弁３７が閉止された状態で、注湯ユニット４２が開放されて、給湯回路２からの湯水が追焚循環経路１００へ導入される。さらに、流路切換弁６１は、ポート６１ａおよび６１ｂが連通する第１の状態、ポート６１ａ〜６１ｃが互いに非連通とされる第２の状態、および、ポート６１ａおよび６１ｃが連通する第３の状態に順次制御される。流路切換弁６１が正常に接続されているときと、誤接続が生じているときとでは、流路切換弁６１が第１、第２および第３の状態にそれぞれ制御されたときにおける追焚循環経路１００の通流の有無の組み合わせが異なる。【選択図】図１０
2015040689.tif 000002
【特許請求の範囲】
【請求項１】
給湯回路および追焚循環回路を備えた給湯システムであって、
浴槽内の第１および第２の開口部の間に、追焚用熱交換器および循環ポンプを経由して構成される循環経路と、
前記給湯回路からの加熱水または非加熱水を前記循環経路へ供給するための注湯路と、
前記循環経路上において前記第１の開口部から前記注湯路との合流点までの間に接続された経路開閉装置と、
前記循環経路上において前記追焚用熱交換器から前記第２の開口部までの間に接続されて、前記循環経路に沿って前記第２の開口部へ至る第１の経路と、前記循環経路から分岐して前記浴槽外の排水路へ至る第２の経路とを選択的に形成するための流路切換装置と、
前記経路開閉装置および前記流路切換装置の動作を制御するための制御装置とを備え、
前記流路切換装置は、第１、第２および第３のポートを有し、かつ、第１の状態において前記第１のポートと前記第２のポートとが連通し、第２の状態において前記第１から第３のポートが互いに非連通とされ、第３の状態において前記第１のポートと前記第３のポートとが連通するように制御され、
前記制御装置は、
前記流路切換装置が、前記第１のポートが前記追焚用熱交換器へ至る第１のノードと接続され、前記第２のポートが前記第２の開口部に至る第２のノードと接続され、前記第３のポートが前記排水路に接続されている正常施工状態であるか否かを診断するための診断手段を有し、
前記診断手段は、前記経路開閉装置を閉止した状態での前記注湯路を経由した前記給湯回路からの加熱水または非加熱水の供給中に、前記流路切換装置を前記第１の状態に制御する第１ステージ、前記流路切換装置を前記第２の状態に制御する第２ステージ、および、前記流路切換装置を前記第３の状態に制御する第３ステージのそれぞれを順次実行する、給湯システム。
【請求項２】
前記診断手段は、前記第１および第３ステージの一方、前記第２ステージ、および、前記第１および第３ステージの他方の順番で、前記第１から第３ステージを順次実行する、請求項１記載の給湯システム。
【請求項３】
前記循環経路における通流の有無を検知するための通水検知手段をさらに備え、
前記診断手段は、
前記第１から第３ステージのそれぞれにおける前記通水検知手段の出力に基づいて、前記流路切換装置が前記正常施工状態であるか否かを判定するための手段と、
判定結果に従った情報を出力するための手段とを有する、請求項１または２記載の給湯システム。
【請求項４】
前記判定するための手段は、前記第１および第３ステージにおいて前記循環経路に通流を検出し、前記第２ステージにおいて前記循環経路に通流が検出されないときに、前記流路切換装置が前記正常施工状態であると判定する、請求項３記載の給湯システム。
【請求項５】
前記追焚用熱交換器で発生するドレンを貯留するためのドレンタンクと、
前記循環経路上において前記合流点から前記流路切換装置までの間に接続されたドレン排出切換装置とをさらに備え、
前記ドレン排出切換装置は、第１の状態で前記ドレンタンクを前記循環経路と接続する一方で、第２の状態で前記ドレンタンクを前記循環経路から切離すように構成され、
前記制御装置は、
前記経路開閉装置を閉状態、前記ドレン排出切換装置を前記第１の状態、前記流路切換装置を前記第３の状態に制御するとともに、前記循環ポンプを作動させることによって前記循環経路を用いて前記ドレンを前記排水路へ排出するためのドレン排出手段をさらに含む、請求項１〜４のいずれか１項に記載の給湯システム。
【発明の詳細な説明】
【技術分野】
【０００１】
この発明は、給湯システムに関し、より特定的には、追焚用の循環経路に流路切換装置が接続された構成を有する給湯システムに関する。
【背景技術】
【０００２】
従来から、風呂の追焚機能を有する給湯システムが用いられている。追焚機能を有する給湯システムでは、浴槽の湯を追焚用熱交換器に導いて加熱した後に、再び浴槽に戻す追焚用の循環経路（以下、単に「追焚循環経路」とも称する）を有するように給湯システムが構成されている。
【０００３】
このような追焚循環経路に、湯水を浴槽に戻すための経路と、浴槽外の排水路に排出するための経路とを切換えるための流路切換装置が配置されることがある。
【０００４】
たとえば、特開２０１２−７７９９４号公報（特許文献１）には、潜熱熱交換器で発生したドレン水を追焚循環経路を用いて排出するために、三方弁で構成された流路切換装置（ドレン排水切換ユニット）が配置された構成が記載される。特許文献１では、追焚循環経路に対する流路切換装置の誤接続を検査することが可能な給湯風呂装置の構成が記載されている。
【先行技術文献】
【特許文献】
【０００５】
【特許文献１】特開２０１２−７７９９４号公報
【発明の概要】
【発明が解決しようとする課題】
【０００６】
特許文献１に記載された給湯風呂装置では、追焚循環経路の循環ポンプを駆動した際に浴槽内の残水が正常に排出されるか否かに基づいて、ドレン排水切換のための流路切換装置が正常に接続されているか否かを判断することができる。
【０００７】
しかしながら、特許文献１に記載された給湯風呂装置では、浴槽内に湯または水がないときには、流路切換装置の接続状態が正常であるかどうかを診断することができない。このため、浴槽内に残水がない場合には、施工状態診断のために、浴槽内に湯または水を張ることが必要となるという問題点が生じる。
【０００８】
この発明はこのような問題点を解決するためになされたものであって、この発明の目的は、追焚循環経路に排水のための流路切換装置が接続される給湯システムにおいて、浴槽内に湯または水がない状態でも当該流路切換装置の接続状態が正常であるか否かを診断することが可能な診断制御を提供することである。
【課題を解決するための手段】
【０００９】
本発明による給湯システムは、給湯回路および追焚循環回路を備えた給湯システムであって、循環経路と、注湯路と、経路開閉装置と、流路切換装置と、制御装置とを含む。循環経路は、浴槽内の第１および第２の開口部の間に、追焚用熱交換器および循環ポンプを経由して構成される。注湯路は、給湯回路からの加熱水または非加熱水を循環経路へ供給するために配置される。経路開閉装置は、循環経路上において第１の開口部から注湯路との合流点までの間に接続される。流路切換装置は、循環経路上において追焚用熱交換器から第２の開口部までの間に接続される。流路切換装置は、循環経路に沿って第２の開口部へ至る第１の経路と、循環経路から分岐して浴槽外の排水路へ至る第２の経路とを選択的に形成するために配置される。制御装置は、経路開閉装置および流路切換装置の動作を制御する。流路切換装置は、第１、第２および第３のポートを有し、かつ、第１の状態において第１のポートと第２のポートとが連通し、第２の状態において第１から第３のポートが互いに非連通とされ、第３の状態において第１のポートと第３のポートとが連通するように制御される。流路切換装置は、正常施工状態では、第１のポートが追焚用熱交換器へ至る第１のノードと接続され、第２のポートが第２の開口部に至る第２のノードと接続され、第３のポートが排水路に接続される。制御装置は、流路切換装置が正常施工状態であるか否かを診断するための診断手段を有する。診断手段は、経路開閉装置を閉止した状態での注湯路を経由した給湯回路からの加熱水または非加熱水の供給中に、流路切換装置を第１の状態に制御する第１ステージ、流路切換装置を第２の状態に制御する第２ステージ、および、流路切換装置を第３の状態に制御する第３ステージのそれぞれを順次実行する。
【００１０】
上記給湯システムによれば、給湯回路から供給される加熱水または非加熱水を用いて、流路切換装置が誤って接続された施工状態では正常施工状態とは異なる流量パターンを循環経路に生じさせる診断制御を実行することができる。したがって、診断制御時における循環経路の流量パターン（通流有／無）を、正常施工状態での所定の流量パターンと比較することによって、流路切換装置の施工状態を診断することができる。たとえば、当該診断制御を施工者が起動し、施工者が診断制御時における通流状態を目視確認することによって、浴槽内に湯または水がない状態でも流路切換装置が正常施工状態であるか否かを診断することが可能となる。
【００１１】
好ましくは、診断手段は、第１および第３ステージの一方、第２ステージ、および、第１および第３ステージの他方の順番で、第１から第３ステージを順次実行する。
【００１２】
このようにすると、流路切換装置の各ステージを効率的に順次形成できるので、診断制御の所要時間を短縮できる。
【００１３】
また好ましくは、給湯システムは、循環経路における通流の有無を検知するための通水検知手段をさらに含む。診断手段は、第１から第３ステージのそれぞれにおける通水検知手段の出力に基づいて流路切換装置が正常施工状態であるか否かを判定するための手段と、判定結果に従った情報を出力するための手段とを有する。
【００１４】
このようにすると、通水検知手段の出力に基づいて、給湯回路から供給される加熱水または非加熱水を用いて流路切換弁の施工状態を自動的に診断するとともに、診断結果を出力することができる。
【００１５】
さらに好ましくは、判定するための手段は、第１および第３ステージにおいて循環経路に通流を検出し、第２ステージにおいて循環経路に通流が検出されないときに、流路切換装置が正常施工状態であると判定する。
【００１６】
このようにすると、第１から第３ステージにおける通流パターンを、予め取得された正常施工状態での通流パターンと比較することによって、流路切換装置が正常施工状態であるか否かを自動的に診断できる。
【００１７】
あるいは好ましくは、給湯システムは、追焚用熱交換器で発生するドレンを貯留するためのドレンタンクと、循環経路上において合流点から流路切換装置までの間に接続されたドレン排出切換装置とをさらに含む。ドレン排出切換装置は、第１の状態でドレンタンクを循環経路と接続する一方で、第２の状態でドレンタンクを循環経路から切離すように構成される。制御装置は、ドレン排出手段をさらに含む。ドレン排出手段は、経路開閉装置を閉状態、ドレン排出切換装置を第１の状態、流路切換装置を第３の状態に制御するとともに、循環ポンプを作動させることによって循環経路を用いてドレンを排水路へ排出する。
【００１８】
このようにすると、二次熱交換器で発生するドレンを、追焚循環経路を共用して排水路へ排出するように構成された給湯システムにおいて、浴槽内に湯または水が存在していなくても、流路切換装置が正常施工状態であるか否かの診断制御を実行することができる。
【発明の効果】
【００１９】
この発明によれば、追焚循環経路に排水のための流路切換装置が接続される給湯システムにおいて、浴槽内に湯または水がない状態でも当該流路切換装置の接続状態が正常であるか否かを診断するための診断制御を実現することができる。
【図面の簡単な説明】
【００２０】
【図１】本発明の実施の形態に従う給湯システムの概略構成を示すブロック図である。
【図２】本発明の実施の形態に従う給湯システムにおける注湯運転時の注湯経路を説明するための概念図である。
【図３】本発明の実施の形態に従う給湯システムにおける追焚運転時の注湯経路を説明するための概念図である。
【図４】本実施の形態に従う給湯システムにおけるドレン排出処理時の通流経路を説明するための概念図である。
【図５】本実施の形態に従う給湯システムにおけるドレン洗浄処理時の通流経路を説明するための概念図である。
【図６】流路切換弁の第１の状態での動作を説明するための概念図である。
【図７】流路切換弁の第２の状態での動作を説明するための概念図である。
【図８】流路切換弁の第３の状態での動作を説明するための概念図である。
【図９】流路切換弁の誤接続状態を説明するための図表である。
【図１０】流路切換弁の正常接続状態を説明するための概略図である。
【図１１】流路切換弁の誤接続状態の第１のパターンを説明するための概略図である。
【図１２】流路切換弁の誤接続状態の第２のパターンを説明するための概略図である。
【図１３】流路切換弁の誤接続状態の第３のパターンを説明するための概略図である。
【図１４】本発明の実施の形態１に従う流路切換弁の施工状態の診断モードにおける制御処理を示すフローチャートである。
【図１５】正常接続状態における診断制御時の流量パターンを説明する概念図である。
【図１６】誤接続状態における診断制御時の流量パターンを説明する第１の概念図である。
【図１７】誤接続状態における診断制御時の流量パターンを説明する第２の概念図である。
【図１８】実施の形態２に従う流路切換弁の施工状態の診断モードにおける制御処理を示すフローチャートである。
【図１９】図１８に示された流量パターン診断の詳細な処理手順を説明するためのフローチャートである。
【発明を実施するための形態】
【００２１】
以下に、本発明の実施の形態について図面を参照して詳細に説明する。なお、以下では図中の同一または相当部分には同一符号を付して、その説明は原則的に繰返さないものとする。
【００２２】
［実施の形態１］
図１は、本発明の実施の形態に従う給湯システムの概略構成を示すブロック図である。
【００２３】
図１を参照して、給湯システム１は、給湯機能を実現するための給湯回路２と、風呂追焚機能を実現するための追焚循環回路３と、風呂湯張り機能を実現するための注湯回路４と、ドレン処理回路５と、流路切換ユニット６と、浴槽８とを備える。
【００２４】
たとえば、給湯回路２、追焚循環回路３、注湯回路４およびドレン処理回路５は、給湯器１ａ内に配置されて、給湯器１ａと浴槽８との間は、配管３５ａ，３５ｂによって接続される。以下では、追焚循環経路での通流方向に合わせて、配管３５ａを風呂戻り配管３５ａとも称し、配管３５ｂを風呂往き配管３５ｂとも称する。
【００２５】
本実施の形態に従う給湯システム１は、風呂の追焚機能に加え、給湯機能および風呂湯張り機能の各機能を併用する複合熱源機型に構成されたものである。さらに、給湯システム１は、燃焼ガスの顕熱に加えて、燃焼排ガスからも潜熱を回収することによって高効率化を図るように構成されている。
【００２６】
給湯回路２は、バーナ２０と、給湯用の一次熱交換器２１および二次熱交換器２４とを含む。バーナ２０は、図示しない燃料供給系から流量調整弁を経由した燃料ガスの供給を受けて、燃焼作動するように構成される。
【００２７】
一次熱交換器２１は、バーナ２０の燃焼ガスの顕熱（燃焼熱）により入水を熱交換によって加熱する。給湯回路２へは、入水路２２から水道水等が給水される。二次熱交換器２４は、たとえば、排気集合筒内に配設される。二次熱交換器２４は、バーナ２０からの燃焼排ガスの潜熱によって通流された水を熱交換によって加熱する。
【００２８】
入水路２２の水は、まず二次熱交換器２４によって予熱された後、一次熱交換器２１において主加熱される。一次熱交換器２１および二次熱交換器２４によって所定温度（たとえば、ユーザによる設定温度）まで加熱された湯は、出湯路２３から出湯される。給湯システム１は、出湯路２３に出湯された湯が、台所や浴室等の給湯栓２５や上記注湯回路４などの所定の給湯箇所に給湯されるように構成される。
【００２９】
二次熱交換器２４や、後述する追焚循環回路３中の二次熱交換器３４は、潜熱回収用熱交換器を構成する。さらに、入水路２２には、流量センサ２６や入水温度センサ２７が介装される。出湯路２３には、流量制御弁２８や給湯温度センサ２９が介装される。
【００３０】
追焚循環回路３は、バーナ３０と、追焚用の一次熱交換器３１および二次熱交換器３４と、追焚用の循環ポンプ３３とを含む。バーナ３０は、バーナ２０と同様に、図示しない燃料供給系から燃料ガスを供給されることによって、燃焼作動する。
【００３１】
一次熱交換器３１は、バーナ３０の燃焼ガスの顕熱（燃焼熱）により通流された水を加熱する。二次熱交換器３４は、バーナ３０からの燃焼排ガスの潜熱によって通流された水を加熱する。
【００３２】
追焚循環回路３には、戻り回路３２ａおよび往き回路３２ｂが設けられる。戻り回路３２ａの上流端（すなわち、浴槽側）の接続口３２１に対して、風呂戻り配管３５ａの下流端が接続される。さらに、風呂戻り配管３５ａの上流端が、浴槽８に設置された循環アダプタ８１の吸込側ノード８８に接続される。また、往き回路３２ｂの下流端（すなわち、浴槽側）の接続口３２２に対して、風呂往き配管３５ｂの上流端が接続される。風呂往き配管３５ｂの下流端は、後述する流路切換ユニット６を経由して、循環アダプタ８１の吐出側ノード８７に接続される。
【００３３】
循環ポンプ３３が作動すると、浴槽８からの浴槽水は、循環アダプタ８１の吸込口８５から、風呂戻り配管３５ａおよび戻り回路３２ａ、二次熱交換器３４および一次熱交換器３１、ならびに、往き回路３２ｂおよび風呂往き配管３５ｂを経由して、循環アダプタ８１の吐出口８６へ至る経路を循環する。これにより、浴槽８（循環アダプタ８１）と熱交換器３１，３４との間に浴槽水を循環させる追焚循環経路１００が形成される。追焚循環経路１００は、循環ポンプ３３を介装接続して構成されている。
【００３４】
この追焚循環経路１００は、浴槽および熱交換器の間に形成される「循環経路」の一実施例に対応する。また、浴槽８（循環アダプタ８１）の吸込口８５および吐出口８６は、浴槽内の「第１の開口部」および「第２の開口部」の一実施例にそれぞれ対応する。
【００３５】
以下では、追焚循環経路１００のうち、浴槽８（循環アダプタ８１の吸込口８５）から熱交換器３１，３４へ至る経路を風呂戻り循環経路１０１とも称し、熱交換器３１，３４から浴槽８（循環アダプタ８１の吐出口８６）へ至る経路を風呂往き循環経路１０２とも称する。
【００３６】
追焚循環経路１００を通流する浴槽水（以下、循環水）は、二次熱交換器３４の通流により燃焼排ガスからの潜熱回収によって予熱された後、一次熱交換器３１の通流により主加熱される。追焚循環経路１００の循環水を、熱交換器３１，３４で加熱することにより、追焚機能が実現される。
【００３７】
循環ポンプ３３の下流側の戻り回路３２ａには、水流スイッチ３６が介装される。戻り回路３２ａの上流端接続口３２１と、循環ポンプ３３との間には、開閉弁３７が介装される。水流スイッチ３６は、所定量を超えた通流があった場合にオンされる一方で、そうでない場合にはオフされる。
【００３８】
開閉弁３７は、閉状態では追焚循環経路１００（具体的には、風呂戻り循環経路１０１）を遮断する一方で、開状態では、追焚循環経路１００の遮断を解除する。開閉弁３７を閉状態とすることによって、開閉弁３７よりも浴槽８側の経路を、追焚循環経路１００から一時的に切り離すことができる。開閉弁３７は、「経路開閉装置」の一実施例に対応する。
【００３９】
注湯回路４は、注湯路４１と、注湯ユニット４２とを含む。注湯路４１は、給湯回路２の出湯路２３から上流端が分岐される。注湯路４１は、注湯ユニット４２を経由して、追焚循環経路１００（戻り回路３２ａ）に合流するように配置される。注湯路４１と戻り回路３２ａとの合流点１０５は、開閉弁３７よりも熱交換器３１，３４側に設けられる。
【００４０】
注湯ユニット４２は、開閉切換により注湯の実行および遮断を切換えるための注湯電磁弁や縁切り弁等がユニット化されて構成される。注湯路４１には、流量センサ４５が設けられている。流量センサ４５によって、注湯回路４から浴槽８へ向けて出力される湯の流量を検出することができる。
【００４１】
ドレン処理回路５は、二次熱交換器２４，３４において燃焼排ガスが潜熱回収のための熱交換により冷やされて凝縮することにより生じたドレンを処理するための回路である。ドレン処理回路５は、集水パン５１と、中和処理槽５２と、ドレンタンク５３と、逆止弁５４と、ドレン導出路５５とを含む。集水パン５１は、二次熱交換器２４，３４からドレンを集水するように構成される。中和処理槽５２は、集水パン５１によって集水されたドレンに対し中和処理を施す。
【００４２】
ドレンタンク５３は、中和処理後のドレンを貯留する。ドレンタンク５３には、図示しない水位センサが設けられる。この水位センサの出力によって、コントローラ７は、ドレンタンク５３に貯留されたドレンが所定量を超えたことを検知できる。ドレン導出路５５は、逆止弁５４を通して、ドレンタンク５３からドレンを、追焚循環経路（具体的には、戻り回路３２ａ）に導出するように構成される。
【００４３】
ドレン導出路５５は、三方切換弁５６を経由して追焚循環経路１００（戻り回路３２ａ）と接続される。三方切換弁５６は、追焚循環経路１００上に、開閉弁３７よりも熱交換器３１，３４側に設けられる。三方切換弁５６は、ドレン排出時には第１の状態に制御されて、ドレン導出路５５および戻り回路３２ａを接続する一方で、通常時には第２の状態に制御されて、ドレン導出路５５を戻り回路３２ａから切り離す。すなわち、三方切換弁５６は、「ドレン排出切換装置」の一実施例に対応する。
【００４４】
流路切換ユニット６は、給湯器１ａと別体に浴槽８の近傍、具体的には、循環アダプタ８１の近傍位置に設置される。このようにすると、流路切換ユニット６は、給湯システム１の設置後に追加的に配置することが容易となる。すなわち、流路切換ユニット６は、給湯システム１の当初設置時から配置されていてもよく、システム設置後に後付けで配置されてもよい。
【００４５】
流路切換ユニット６は、流路切換弁６１と、流路切換弁６１の駆動部６２とを内蔵する。流路切換弁６１は、追焚循環経路１００のうちの循環アダプタ８１の近傍位置（具体的には、風呂往き配管３５ｂの下流端側部分）に介装される。流路切換弁６１は、「流路切換装置」の一実施例に対応する。流路切換弁６１としては、三方弁を用いることができる。
【００４６】
流路切換弁６１は、コントローラ７からの制御指令に応じて、追焚循環経路に沿って風呂往き配管３５ｂから浴槽８（循環アダプタ８１の吐出口８６）への注湯経路６３と、追焚循環経路から分岐して図示しない浴槽排水設備へ至る排水路９０への排水経路６４とを選択的に形成するために配置される。注湯経路６３は「第１の経路」に対応し、排水経路６４は「第２の経路」に対応する。
【００４７】
コントローラ７は、図示しないリモコンからのユーザ等による入力設定操作に基づき、給湯システム１がユーザ指示に従って運転されるように、給湯回路２、追焚循環回路３、注湯回路４、ドレン処理回路５および流路切換ユニット６の動作を制御する。すなわち、これらの各回路およびユニットに含まれる、各種の切換弁の動作も、コントローラ７からの指令に応じて制御される。たとえば、コントローラ７は、マイクロコンピュータやメモリ等を含んで構成することができる。
【００４８】
次に、図１に示した給湯システム１の動作について説明する。
まず、通常の給湯運転制御について説明する。給湯運転制御は、給湯栓２５が開かれることにより、最低作動流量以上の通水流量が流量センサ２６により検知されることによって開始される。給湯運転制御が開始されると、バーナ２０を燃焼作動制御して、リモコンに設定された設定給湯温度と出湯温度が同等となるように、入水を加熱するように給湯システム１が動作する。
【００４９】
また、図示しないリモコンから風呂湯張り運転が指示されると、注湯ユニット４２が開放されることにより、浴槽８への給湯運転が実行される。以下では、浴槽８への給湯運転について、給湯栓２５からの給湯運転と区別するために、特に「注湯運転」とも称する。あるいは、風呂自動運転が指示された場合には、初期の湯張り、または一定水位を維持するために、注湯運転が実行される。
【００５０】
図２は、本発明の実施の形態に従う給湯システムにおける注湯運転時の注湯経路を説明するための概念図である。
【００５１】
図２を参照して、注湯運転時には、開閉弁３７が開放された状態で、注湯ユニット４２が開状態に制御される。また、三方切換弁５６は第２の状態に制御されて、ドレン導出路５５を追焚循環経路から切り離す。さらに、流路切換弁６１は、注湯経路６３を形成するように制御される。
【００５２】
したがって、注湯ユニット４２の開放によって給湯回路２から分岐供給される湯は、注湯路４１および追焚循環経路１００を経由して、浴槽８に注湯される。注湯運転は、水位センサ（図示せず）の出力に基づいて、浴槽８の水位が所定レベルになるまで継続される。
【００５３】
なお、注湯運転時には、循環ポンプ３３が停止された状態で、注湯路４１からの湯が、追焚循環経路１００上の合流点１０５に供給される。このため、合流点１０５から風呂戻り循環経路１０１を逆流して循環アダプタ８１の吸込口８５へ至る経路と、合流点１０５から熱交換器３１，３４および、風呂往き循環経路１０２を経由して循環アダプタ８１の吐出口８６へ至る経路との両方から、浴槽８への注湯が行なわれる。
【００５４】
図３は、本発明の実施の形態に従う給湯システムにおける追焚運転時の注湯経路を説明するための概念図である。
【００５５】
図３を参照して、追焚運転は、湯張り後の設定湯張り温度までの自動沸上げ、浴槽水を一定温度に保温するための自動沸上げあるいはユーザからの指令に基づく沸上げ等により開始される。
【００５６】
追焚運転では、開閉弁３７が開放され、かつ、注湯ユニット４２が閉止された状態で、
循環ポンプ３３が作動することにより、浴槽水が、風呂戻り循環経路１０１および風呂往き循環経路１０２によって形成される追焚循環経路１００を循環する。さらに、バーナ３０を燃焼作動制御することにより、循環水は、所定温度まで上昇させた上で浴槽８に再度供給される。追焚運転時においても、三方切換弁５６は第２の状態に制御されて、ドレン導出路５５を追焚循環経路から切り離す。また、流路切換弁６１は、注湯経路６３を形成するように制御される。
【００５７】
図４は、本実施の形態に従う給湯システムにおけるドレン排出処理時の通流経路を説明するための概念図である。
【００５８】
図４は、ドレン排出処理における通流経路を説明するための概念図である。
図４を参照して、ドレン排出処理時には、開閉弁３７が閉止されるとともに、三方切換弁５６は、ドレン導出路５５を追焚循環経路１００に接続する状態（第１の状態）に制御される。さらに、流路切換弁６１は、排水路９０への排水経路６４を形成するように制御される。また、注湯ユニット４２は、追焚循環経路１００と給湯回路２との間を遮断するように閉止される。
【００５９】
この状態で、循環ポンプ３３が作動されることによって、ドレンタンク５３内に貯留されたドレンは、ドレン導出路５５から追焚循環経路１００へ導入され、さらに、追焚循環経路１００の一部を通流した後、流路切換弁６１によって形成された排水経路６４へ導かれる。これにより、ドレンは、排水路９０から排出される。
【００６０】
ドレン排出処理において、開閉弁３７および流路切換弁６１によって、浴槽８は追焚循環経路１００から切り離されている。このため、ドレン排出処理中には、浴槽８の残水が追焚循環経路１００を経由して排出されたり、追焚循環経路１００を通流するドレンが浴槽８内に排出されることがない。
【００６１】
ただし、ドレン排出処理によって追焚循環経路１００の一部をドレンが通流するため、追焚循環経路１００が再び浴槽水の循環に使用される前に、ドレンの通流経路を洗浄する必要がある。
【００６２】
図５は、本実施の形態に従う給湯システムにおけるドレン洗浄処理時の通流経路を説明するための概念図である。
【００６３】
図５を参照して、ドレン洗浄処理時には、三方切換弁５６は、ドレン導出路５５を追焚循環経路１００から切り離す状態（第２の状態）に復帰される。一方で、開閉弁３７の閉状態および、流路切換弁６１が排水経路６４を形成する状態は維持される。さらに、注湯ユニット４２は、給湯回路２および追焚循環経路１００の間が連通するように、開放される。
【００６４】
この状態では、循環ポンプ３３が停止されても、注湯ユニット４２が開状態とされているので、給湯回路２への入水の圧力によって、給湯回路２からの加熱水または非加熱水を追焚循環経路１００にドレン洗浄水として導入することができる。
【００６５】
導入されたドレン洗浄水は、ドレン排出処理におけるドレン通流経路を流れた後、流路切換弁６１によって排水経路６４へ導かれて排出される。この結果、追焚循環経路１００が再び浴槽水の循環に使用される前に、ドレンの通流経路を洗浄することができる。ドレン洗浄水は、ドレンと同様に、浴槽８の外部の浴槽排水設備へ排出される。なお、注湯ユニット４２が開放された直後は、循環ポンプ３３を所定時間だけ作動させておくことが好ましい。これは、ドレンの通流経路に加えて、循環ポンプ３３の内部も洗浄するためである。上述のように、ドレン洗浄処理に使用される洗浄用の給水は、加熱水および非加熱水のいずれであってもよい。
【００６６】
ドレン洗浄処理においても、開閉弁３７および流路切換弁６１によって、浴槽８が追焚循環経路１００から切り離されている。したがって、ドレン排出処理と同様に、浴槽８の残水が追焚循環経路１００を経由して排出されたり、追焚循環経路１００を通流するドレン洗浄水が浴槽８内に排出されることがない。
【００６７】
このように、本実施の形態に従う給湯システムでは、代表的には三方弁によって構成される流路切換弁６１によって、浴槽８内（吐出口８６）に至る追焚循環経路と、当該追焚循環経路から分岐して排水路９０に至る経路とを選択的に形成することができる。すなわち、本実施の形態に従う給湯システムにおいて、図２〜図５に示した経路によって、注湯運転および追焚運転の通常運転と、ドレン排出処理に関連する運転とを正常に実行するためには、流路切換弁６１が正常に接続されていることが必要となる。以下では、流路切換弁６１が正常に接続されているかどうかを診断するための施工状態の診断制御について説明する。
【００６８】
図６から図８は、流路切換弁６１の動作を説明するための概念図である。
図６〜図８を参照して、流路切換弁６１は、第１のポート６１ａと、第２のポート６１ｂと、第３のポート６１ｃとを有する。流路切換弁６１は、コントローラ７からの図示しない制御指令に応じて、制御される。
【００６９】
図６を参照して、流路切換弁６１は、第１の状態に制御されたときには、第１のポート６１ａおよび第２のポート６１ｂの間を連通させる。すなわち、第１のポート６１ａおよび第２のポート６１ｂの間に流路が形成される。
【００７０】
図７を参照して、流路切換弁６１は、第２の状態では、第１のポート６１ａ、第２のポート６１ｂおよび第３のポート６１ｃの間を互いに非連通とする。
【００７１】
図８を参照して、流路切換弁６１は、第３の状態に制御されたときには、第１のポート６１ａおよび第３のポート６１ｃの間を連通させる。これにより、第１のポート６１ａおよび第３のポート６１ｃの間に流路が形成される。
【００７２】
なお、流路切換弁６１は、特定の制御指令に応じて、図７に示した第２の状態を形成するように構成されてもよい。あるいは、第２の状態は、対応する制御指示を要することなく、第１の状態から第３の状態に移行する制御指令、あるいは、第３の状態から第１の状態に移行する制御指令が発せられたときに、状態間の遷移中に一時的に形成されるものであってもよい。
【００７３】
図９には、流路切換弁６１の誤接続状態の例が正常施工状態と比較して示される。
図９を参照して、流路切換弁６１が正常に施工された正常接続状態では、図１０に示されるように、第１のポート６１ａは風呂往き配管３５ｂと接続され、第２のポート６１ｂは循環アダプタ８１の吐出側ノード８７と接続される。また、第３のポート６１ｃは、排水路９０と接続される。すなわち、風呂往き配管３５ｂの下流端は「第１のノード」に対応し、吐出側ノード８７は「第２のノード」に対応する。
【００７４】
一方で、誤接続の第１のパターンでは、図１１に示されるように、流路切換弁６１が、風呂往き配管３５ｂではなく風呂戻り配管３５ａに接続される。具体的には、第３のポート６１ｃが排水路９０と正常に接続される一方で、第１のポート６１ａは、風呂往き配管３５ｂでなく風呂戻り配管３５ａと接続され、第２のポート６１ｂは、循環アダプタ８１の吐出側ノード８７ではなく吸込側ノード８８と接続される。
【００７５】
再び図９を参照して、誤接続の第２のパターンでは、流路切換弁６１が、風呂往き配管３５ｂではなく風呂戻り配管３５ａに接続されるとともに、入側／出側も逆に接続される。すなわち、図１２に示されるように、第３のポート６１ｃが排水路９０と正常に接続される一方で、第１のポート６１ａは誤って吸込側ノード８８と接続され、第２のポート６１ｂは誤って風呂戻り配管３５ａと接続されている。
【００７６】
再び図９を参照して、誤接続の第３のパターンでは、流路切換弁６１が、風呂往き配管３５ｂで入側／出側が逆に接続される。すなわち、図１３に示されるように、第３のポート６１ｃが排水路９０と正常に接続される一方で、第１のポート６１ａは誤って吐出側ノード８７と接続され、第２のポート６１ｂは誤って風呂往き配管３５ｂと接続されている。
【００７７】
図１４は、本発明の実施の形態に従う給湯システムにおける流路切換弁６１の施工状態の診断モードにおける制御処理を示すフローチャートである。図１４に示す制御処理は、コントローラ７によって実行することができる。
【００７８】
図１４を参照して、コントローラ７は、診断制御の実行を指示する操作入力に応じてステップＳ１００がＹＥＳ判定されると、以下のステップＳ２００〜Ｓ６００による診断モードを起動する。診断制御の実行が指示されていないとき（Ｓ１００のＮＯ判定時）には、診断モードは起動されない。
【００７９】
コントローラ７は、診断モードの起動により診断制御が開始されると（Ｓ１００のＹＥＳ判定時）、ステップＳ２００により、開閉弁３７を閉止するとともに、ステップＳ３００により、流路切換弁６１を第１の状態（図６）に制御する。さらに、コントローラ７は、ステップＳ３１０により、注湯ユニット４２を開放する。これにより、開閉弁３７が閉止され、かつ、流路切換弁６１が第１の状態に制御された状態において、給湯回路２側からの加熱水または非加熱水（以下、単に湯水とも称する）が、追焚循環経路１００上の合流点１０５に対して供給される。なおステップＳ２００，Ｓ３００およびＳ３１０については、実行順序を入換えてもよく、並列に実行してもよい。
【００８０】
コントローラ７は、給湯回路２から追焚循環経路１００へ湯水が供給された状態で、流路切換弁６１が第１の状態に制御されている第１ステージが一定の時間確保されると、ステップＳ４００により、流路切換弁６１を第２の状態に制御するための制御指令を発生する。上述のように、流路切換弁６１では、第１の状態から第３の状態に遷移する途中で第２の状態が一時的に生成される。このため、ステップＳ４００での制御指令は、第１の状態から第３の状態への遷移を指示するものであってもよい。これにより、給湯回路２から追焚循環経路１００へ湯水が供給された状態で、流路切換弁６１が第２の状態に制御されている第２ステージが一定の時間確保される。
【００８１】
さらに、コントローラ７は、ステップＳ５００において、流路切換弁６１を第３の状態に制御する。これにより、給湯回路２から追焚循環経路１００へ湯水が供給された状態で、流路切換弁６１が第３の状態に制御されている第３ステージが一定の時間確保される。
【００８２】
コントローラ７は、第１〜第３ステージの各々が順次実行されると、ステップＳ６００により、注湯ユニット４２を閉止して診断モードを終了する。これにより、診断制御が終了される。
【００８３】
図１５は、正常接続状態での診断制御時の流量パターンを説明するための概念図である。
【００８４】
図１５を参照して、診断モードが開始されると、時刻ｔ０〜ｔ１で流路切換弁６１は第１の状態に制御され、時刻ｔ１〜ｔ２では流路切換弁６１は第２の状態に制御され、時刻ｔ２〜ｔ３において流路切換弁６１は第３の状態に制御される。そして、時刻ｔ３において、診断制御が終了される。すなわち、時刻ｔ０〜ｔ１では第１ステージが形成され、時刻ｔ１〜ｔ２では第２ステージが形成され、時刻ｔ２〜ｔ３では第３ステージが形成される。
【００８５】
図１０に示されるように、正常接続状態では、診断モードの第１ステージにおいて、流路切換弁６１は、風呂往き配管３５ｂおよび循環アダプタ８１（吐出側ノード８７）の間に流路を形成する。したがって、時刻ｔ０〜ｔ１（第１ステージ）では、注湯ユニット４２によって導入された給湯回路２からの湯水は、循環アダプタ８１から浴槽８内に供給される。この流量は、流量センサ４５ないし水流スイッチ３６によって検出することができる。したがって、流量センサ４５ないし水流スイッチ３６は、診断モード時に追焚循環経路１００の通流の有無を検知するための「通水検知手段」の一実施例に対応する。
【００８６】
第２ステージでは、流路切換弁６１は流路を形成しないので、時刻ｔ１〜ｔ２（第２ステージ）では、追焚循環経路１００内には湯水は通流しない。したがって、流量は検出されない。
【００８７】
図１０に示されるように、ポート６１ａおよび６１ｃが連通する第３ステージでは、流路切換弁６１は、風呂往き配管３５ｂおよび排水路９０の間に流路を形成する。したがって、時刻ｔ２〜ｔ３では、注湯ユニット４２によって導入された給湯回路２からの湯水は排水路９０へ排出される。すなわち、流量センサ４５ないし水流スイッチ３６によって、流量が検出される。このように、正常接続状態における診断制御時の流量パターンは、図１５に示されるようになる。
【００８８】
図１６は、流路切換弁６１の誤接続時における流量パターンを説明する概念図である。
図１６においても、診断制御時には、時刻ｔ０〜ｔ１、時刻ｔ１〜ｔ２、および時刻ｔ２〜ｔ３のそれぞれにおいて、流路切換弁６１が第１の状態である第１ステージ、流路切換弁６１が第２の状態である第２ステージおよび、流路切換弁６１が第３の状態である第３ステージが順に形成される。
【００８９】
再び図１１を参照して、図９に示した誤接続パターン１では、流路切換弁６１は風呂往き配管３５ｂに対して接続されておらず、合流点１０５に対して閉止された開閉弁３７よりも浴槽側に位置している。このため、流路切換弁６１の状態に関わらず、合流点１０５から風呂往き配管３５ｂを経由して循環アダプタ８１（吐出側ノード８７）へ至る経路が常時形成される。
【００９０】
したがって、図１６に示されるように、流路切換弁６１の第１〜第３の状態、すなわち、第１〜第３ステージを通じて、診断制御時には、注湯ユニット４２によって導入された給湯回路２からの湯水は、循環アダプタ８１から浴槽８内に供給される。すなわち、時刻ｔ０以降では、流量センサ４５ないし水流スイッチ３６によって、常時流量が検出される。
【００９１】
再び図１２を参照して、図９に示した誤接続パターン２においても、流路切換弁６１は風呂往き配管３５ｂに対して接続されておらず、合流点１０５に対して閉止された開閉弁３７よりも浴槽側に位置している。このため、流路切換弁６１の状態に関わらず、風呂往き配管３５ｂおよび循環アダプタ８１（吐出側ノード８７）の間に常時流路が形成される。
【００９２】
したがって、誤接続パターン２においても、図１６に示されるように、診断制御時には、注湯ユニット４２によって導入された給湯回路２からの湯水は、循環アダプタ８１から浴槽８内に供給される。すなわち、第１〜第３パターンを通じて、時刻ｔ０以降では、流量センサ４５ないし水流スイッチ３６によって常時流量が検出される。このように、図１６の流量パターンは、図１５に示された正常接続状態での流量パターンと比較して、時刻ｔ１以降（第２および第３ステージ）での通流状態が異なる。
【００９３】
図１７には、図９に示した誤接続パターン３における流量パターンが示される。
図１７においても、診断制御時には、時刻ｔ０〜ｔ１、時刻ｔ１〜ｔ２、および時刻ｔ２〜ｔ３のそれぞれにおいて、流路切換弁６１の状態が切換えられることにより第１ステージ、第２ステージおよび第３ステージが順に形成される。
【００９４】
再び図１３を参照して、図９に示した誤接続パターン３では、流路切換弁６１は、第１のポート６１ａが循環アダプタ８１（吐出側ノード８７）と接続され、第２のポート６１ｂは風呂往き配管３５ｂに対して接続される。
【００９５】
したがって、診断制御の第１ステージでは、流路切換弁６１によって吐出側ノード８７および風呂往き配管３５ｂの間が連通される。さらに、第２ステージでは、流路切換弁６１は流路を形成しない。
【００９６】
このため、図１７に示されるように、時刻ｔ０〜ｔ１（第１ステージ）では、図１５（正常接続状態）と同様に、注湯ユニット４２によって導入された給湯回路２からの湯水は、循環アダプタ８１から浴槽８内に供給される。すなわち、流量センサ４５ないし水流スイッチ３６によって、流量が検出される。さらに、時刻ｔ１〜ｔ２（第２ステージ）では、追焚循環経路１００内には湯水は通流しないので、流量センサ４５ないし水流スイッチ３６によって流量は検出されない。
【００９７】
一方、第３ステージでは、流路切換弁６１によって吐出側ノード８７および排水路９０の間が連通される。したがって、給湯回路２からの湯水は、流路切換弁６１によって遮断されるので、時刻ｔ２〜ｔ３においても、追焚循環経路１００内には湯水は通流しない。すなわち、流量センサ４５ないし水流スイッチ３６によって流量は検出されない。このように、図１７の流量パターンは、図１５に示された正常接続状態での流量パターンと比較して、時刻ｔ２〜ｔ３（第３ステージ）での通流状態が異なる。
【００９８】
したがって、本実施の形態１に従う給湯システムによれば、給湯回路２から供給される湯水を用いて、流路切換弁６１が誤って接続された施工状態では正常施工状態とは異なる流量パターンを追焚循環経路１００に生じさせるような診断制御を、コントローラ７により実行することができる。したがって、診断制御時における追焚循環経路１００の流量パターン（通流有／無）を、正常接続状態での流量パターンと比較することによって、流路切換弁６１が正常に施工された状態であるか否かを判断することができる。
【００９９】
たとえば、当該診断制御を施工者が起動し、施工者が診断制御時における通流状態を目視確認することによって、流路切換弁６１が正常に接続されているかどうかを診断することが可能である。さらに、この診断制御は、浴槽８に残水がなくても注湯ユニット４２を開状態とすることによって給湯回路２から導入される湯水によって実行することができる。したがって、浴槽８内に湯または水がない状態でも流路切換弁６１が正常に接続されているかどうかの診断制御を実行することが可能となる。
【０１００】
［実施の形態２］
実施の形態２では、流路切換弁６１の接続状態（施工状態）が正常であるかどうかの診断結果を自動的に出力することが可能な診断モードについて説明する。実施の形態２においても、給湯システムの構成は実施の形態１と同様であるので詳細な説明は繰返さない。
【０１０１】
図１８は、実施の形態２における診断モードの制御処理を説明するためのフローチャートである。
【０１０２】
図１８を参照して、コントローラ７は、実施の形態１と同様に、診断モードが起動されて診断制御が開始されると（Ｓ１００のＹＥＳ判定時）、ステップＳ２００以降の一連の処理を実行する。一方で、診断モードの起動が指示されていないとき（Ｓ１００のＮＯ判定時）には、一連の処理は起動されない。
【０１０３】
コントローラ７は、図１４と同様のステップＳ２００〜Ｓ３１０により、開閉弁３７が閉止され、かつ、流路切換弁６１が第１の状態に制御された状態において、給湯回路２からの湯水を追焚循環経路１００上の合流点１０５に対して供給させる。これにより、第１ステージが一定の時間形成される。
【０１０４】
さらに、コントローラ７は、ステップＳ３２０において、流量センサ４５ないし水流スイッチ３６によって構成される「流量検知手段」の出力に基づいて、第１ステージでの追焚循環経路１００の流量の有無を判定する。ステップＳ３２０は、図１５等の時刻ｔ０〜ｔ１の期間で、追焚循環経路１００に通流が生じているかどうかを判定するものである。
【０１０５】
コントローラ７は、追焚循環経路１００の通流が検知された場合（Ｓ３２０のＹＥＳ判定時）には、ステップＳ３４０に処理を進めて、フラグＰ（１）を１（オン）に設定する。一方で、コントローラ７は、通流が検知されないとき（Ｓ３２０のＮＯ判定時）には、ステップＳ３６０により、フラグＰ（１）を０（オフ）に設定する。
【０１０６】
さらに、コントローラ７は、図１４と同様のステップＳ４００により、給湯回路２から追焚循環経路１００へ湯水が供給された状態で、流路切換弁６１を第２の状態に制御する。これにより、第２ステージが一定の時間形成される。
【０１０７】
さらに、コントローラ７は、ステップＳ３２０と同様のステップＳ４２０により、第２ステージでの追焚循環経路１００の流量の有無を判定する。ステップＳ４２０は、図１５等の時刻ｔ１〜ｔ２の期間で、追焚循環経路１００に通流が生じているかどうかを判定するものである。
【０１０８】
コントローラ７は、追焚循環経路１００の通流が検知された場合（Ｓ４２０のＹＥＳ判定時）には、ステップＳ４４０に処理を進めて、フラグＰ（２）を１（オン）に設定する。一方で、コントローラ７は、通流が検知されないとき（Ｓ４２０のＮＯ判定時）には、ステップＳ４６０により、フラグＰ（２）を０（オフ）に設定する。
【０１０９】
さらにコントローラ７は、図１４と同様のステップＳ５００により、給湯回路２から追焚循環経路１００へ湯水が供給された状態で、流路切換弁６１を第３の状態に制御する。これにより、第３ステージが一定の時間形成される。
【０１１０】
さらに、コントローラ７は、ステップＳ３２０，Ｓ４２０と同様のステップＳ５２０により、第３ステージでの追焚循環経路１００の流量の有無を判定する。ステップＳ５２０は、図１５等の時刻ｔ２〜ｔ３の期間で、追焚循環経路１００に通流が生じているかどうかを判定するものである。
【０１１１】
コントローラ７は、追焚循環経路１００の通流が検知された場合（Ｓ５２０のＹＥＳ判定時）には、ステップＳ５４０に処理を進めて、フラグＰ（３）を１（オン）に設定する。一方で、コントローラ７は、通流が検知されないとき（Ｓ５２０のＮＯ判定時）には、ステップＳ５６０により、フラグＰ（３）を０（オフ）に設定する。
【０１１２】
そして、コントローラ７は、ステップＳ６００により、注湯ユニット４２を閉止して給湯回路２から追焚循環経路１００への湯水の供給を停止する。さらに、コントローラ７は、ステップＳ７００により、流量パターン診断を実行して、流路切換弁６１の施工状態（接続状態）の正常／異常を判定する。
【０１１３】
図１９は、ステップＳ７００による流量パターンの処理手順を詳細に説明するためのフローチャートである。
【０１１４】
図１９を参照して、ステップＳ７００は、ステップＳ７１０〜ステップＳ７７０を有する。
【０１１５】
コントローラ７は、ステップＳ７１０により、フラグＰ（１）、Ｐ（２）およびＰ（３）を、流路切換弁６１の正常接続時における流量パターンと順に比較する。すなわち、フラグＰ（１）、Ｐ（２）およびＰ（３）が、図１５に示された流量パターンと一致するとき、すなわち、Ｐ（１）＝１、Ｐ（２）＝０およびＰ（３）＝１のときに、ステップＳ７１０はＹＥＳ判定とされ、そうでないときには、ステップＳ７１０はＮＯ判定とされる。
【０１１６】
コントローラ７は、診断モードでの流量パターンが正常であるとき（Ｓ７１０のＹＥＳ判定時）には、ステップＳ７２０に処理を進めて、流路切換弁６１の接続状態は正常である、すなわち、正常施工状態であると判定する。
【０１１７】
一方で、コントローラ７は、診断モードでの流量パターンが正常ではないとき（Ｓ７１０のＮＯ判定時）には、ステップＳ７３０に処理を進めて、流路切換弁６１の接続状態が異常であること、すなわち誤接続を検出する。
【０１１８】
コントローラ７は、流路切換弁６１の誤接続を検出したときには、さらに、ステップＳ７４０〜Ｓ７６０により誤接続の内容を診断してもよい。
【０１１９】
コントローラ７は、ステップＳ７４０では、フラグＰ（１）、Ｐ（２）およびＰ（３）を、図１６に示された流量パターンと比較する。すなわち、フラグＰ（１）〜Ｐ（３）のすべてが１（オン）のときに、ステップＳ７４０はＹＥＳ判定とされ、そうでないときには、ステップＳ７４０はＮＯ判定とされる。
【０１２０】
コントローラ７は、流量パターンが図１６と一致している場合には、ステップＳ７５０に処理を進めて、流路切換弁６１が風呂往き配管３５ｂではなく風呂戻り配管３５ａに接続されている、すなわち、配管間違いによる誤接続（図１１，１２）であると判定する。
【０１２１】
一方で、コントローラ７は、ステップＳ７４０がＮＯ判定であるときには、ステップＳ７６０に処理を進めて、流路切換弁６１が風呂往き配管３５ｂに接続されているものの、接続の入側／出側が逆になっている誤接続（図１３）であると判定する。
【０１２２】
コントローラ７は、さらに、ステップＳ７７０により、流路切換弁６１の接続状態に関する診断結果を示す情報を出力する。ステップＳ７２０に続いてステップＳ７７０が実行された場合には、流路切換弁６１が正常に接続されていることがユーザに報知される。また、ステップＳ７３０に続いてステップＳ７７０が実行された場合には、流路切換弁６１が誤接続されていることがユーザに報知され、ステップＳ７５０またはＳ７６０に続いてステップＳ７７０が実行された場合には、流路切換弁６１の誤接続と、誤接続の態様とがユーザに報知される。
【０１２３】
ステップＳ７７０によるユーザへの報知は、視覚的および／または聴覚的なメッセージを出力によって実行される。たとえば、コントローラ７は、予め割付けられた所定コード（たとえば数字３桁）を図示しない液晶ディスプレイ等に出力することによって、視覚的なメッセージを出力することができる。また、図示しないスピーカからの音声出力によって、聴覚的なメッセージを出力することも可能である。
【０１２４】
このように、実施の形態２によれば、実施の形態１と同様の診断制御を実行するとともに、各ステージでの流量センサ４５ないし水流スイッチ３６の出力に基づいて、流路切換弁６１の施工状態をコントローラ７から出力することができる。すなわち、浴槽８内に湯または水がない状態でも給湯回路２から供給される湯水を用いて、流路切換弁６１が正常に施工された状態であるか否かを自動的に診断することができる。
【０１２５】
なお、図１４および図１８に示したフローチャートでは、第１ステージ、第２ステージ、第３ステージの順に実行する例を示したが、第１〜第３ステージの実行順序は適宜入れ換えることも可能である。ただし、図６〜図８に示されるように、流路切換弁６１では、第２の状態は第１および第３の状態の遷移時に形成される。したがって、第１および第３ステージの一方、第２ステージ、第１および第３ステージの他方の順序で形成することによって、流路切換弁６１を効率的に動作させて診断時間を短縮することができる。
【０１２６】
また、図１８に示したフローチャートでは、第１〜第３のすべてのステージで通流有無を判定した後、施工状態の正常／異常を判定しているが、各ステージで通流有無の判定結果を正常接続状態のものと比較して、いずれかのステージで通流有無の判定結果が正常接続状態のものと異なれば、その時点で誤接続を検出（Ｓ７３０）するようにしてもよい。
【０１２７】
なお、本実施の形態では、追焚循環経路を利用してドレン排出処理を実行するように構成された給湯システムを例示したが、本発明の適用は、図１に例示した給湯システムに限定されるものではない。具体的には、追焚循環経路に対して排水路への分岐のための流路切換弁が接続される構成を有する給湯システムに対して、本発明を共通に適用することができる。すなわち、ドレン排出が必要となる二次熱交換器を具備しない給湯システムに対しても、流路切換弁の施工状態について実施の形態１，２で説明した診断制御を適用することが可能である。
【０１２８】
また、給湯用熱交換器２１，２４および追焚用熱交換器３１，３４での熱源は、ガス燃焼によって熱量を発生するバーナ２０，３０に限定されるものではない。すなわち、本発明の適用において、燃料を含めて熱源の種類は特に限定されない点について確認的に記載する。
【０１２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３０】
１  給湯システム、１ａ  給湯器、２  給湯回路、３  追焚循環回路、４  注湯回路、５  ドレン処理回路、６  流路切換ユニット、７  コントローラ、８  浴槽、２０，３０  バーナ、２１，３１  一次熱交換器、２２  入水路、２３  出湯路、２４，３４  二次熱交換器、２５  給湯栓、２６，４５  流量センサ、２７  入水温度センサ、２８  流量制御弁、２９  給湯温度センサ、３２ａ  戻り回路、３２ｂ  往き回路、３３  循環ポンプ、３５ａ  風呂戻り配管、３５ｂ  風呂往き配管、３６  水流スイッチ、３７  開閉弁、４１  注湯路、４２  注湯ユニット、５１  集水パン、５２  中和処理槽、５３  ドレンタンク、５４  逆止弁、５５  ドレン導出路、５６  三方切換弁、６１  流路切換弁、６１ａ，６１ｂ，６１ｃ  ポート（流路切換弁）、６２  駆動部、６３  注湯経路、６４  排水経路、８１  循環アダプタ、８５  吸込口、８６  吐出口、８７  吐出側ノード、８８  吸込側ノード、９０  排水路、１００  追焚循環経路、１０１  風呂戻り循環経路、１０２  風呂往き循環経路、１０５  合流点、３２１  上流端接続口、３２２  下流端接続口、Ｐ（１），Ｐ（２），Ｐ（３）  フラグ。
【図１】
2015040689.tif 000003
【図２】
2015040689.tif 000004
【図３】
2015040689.tif 000005
【図４】
2015040689.tif 000006
【図５】
2015040689.tif 000007
【図６】
2015040689.tif 000008
【図７】
2015040689.tif 000009
【図８】
2015040689.tif 000010
【図９】
2015040689.tif 000011
【図１０】
2015040689.tif 000012
【図１１】
2015040689.tif 000013
【図１２】
2015040689.tif 000014
【図１３】
2015040689.tif 000015
【図１４】
2015040689.tif 000016
【図１５】
2015040689.tif 000017
【図１６】
2015040689.tif 000018
【図１７】
2015040689.tif 000019
【図１８】
2015040689.tif 000020
【図１９】
2015040689.tif 000021